(57)【特許請求の範囲】
【請求項１】
ロールペーパーが芯を横にして収納される本体部と、この本体部の開口状の上面を塞ぐ蓋とを備え、上記の本体部の前側に、ロールぺーパーの芯の配置方向に沿ってローラが平行状に複数横架され、このローラが本体部に設けられているモータで回転されてロールペーパーの引き出し端が送り出されるトイレットペーパーホルダーであって、上記のローラが、モータで回転する最上段のローラと、この最上段のローラの下側に配置されている中段のローラと、この中段のローラの下側に配置されている最下段のローラとで構成され、このローラ同士に、ロールペーパーを受けて送り出すためのベルトが、最上段のローラと中段のローラ、中段のローラと最下段のローラに架けられ、ローラと共に回転するこのベルトによってロールペーパーの引き出し端が送り出されることを特徴とするトイレットペーパーホルダー。
【請求項２】
請求項１記載のトイレットペーパーホルダーであって、ベルトが、本体部の正面から見て左右対称状に架けられていることを特徴とするトイレットペーパーホルダー。
【請求項３】
請求項１又は２記載のトイレットペーパーホルダーであって、最下段のローラの下側に、紙が内方に巻き込まれるのを防止するための縦板が、最下段のローラの周方向に延びる環状溝に上端を係合させて設けられていることを特徴とするトイレットペーパーホルダー。
【発明の詳細な説明】
【技術分野】
【０００１】
本発明はトイレットペーパーホルダーに関し、更に詳しくは紙の送り出しをモータで行なう形式のトイレットペーパーホルダーに関するものである。
【背景技術】
【０００２】
従来この種のホルダーとしては、例えば本出願人の提案に係る特許文献１に記載のものがある。
この従来品は、ロールペーパーが芯を横にして収納される本体部と、この本体部の上面を塞ぐ蓋とを備え、本体部の前側に、ロールぺーパーの芯の配置方向に沿ってローラが横架され、このローラをモータで回転させてロールペーパーの引き出し端を、ローラと蓋との間から送り出すよう形成されている。
【０００３】
このように従来品は、紙とローラとの摩擦を利用して紙を送り出す構造であった。そのため従来品は、ローラと接触する紙の部分に強い送り力が加わり、ローラの箇所で紙が素早く送られるものであった。
従って従来品を使用すると、ローラと、ローラの下方の、蓋の下端の排出位置との間に、紙が撓み易くなり、その結果円滑に排出されない場合があった。
【特許文献１】特開２００６−８７４７６号公報
【発明の開示】
【発明が解決しようとする課題】
【０００４】
本発明は、このような従来技術の問題点に鑑み、提案されたものである。
従って本発明の解決しようとする技術的課題は、モータで紙を送り出す形式のトイレットペーパーホルダーにおいて、紙を円滑に且つ確実に送り出すことができるよう形成したトイレットペーパーホルダーを提供することにある。
【課題を解決するための手段】
【０００５】
本発明は、上記の課題を解決するため、次のような技術的手段を採る。
即ち本発明は、図１等に示されるように、ロールペーパー１が芯を横にして収納される本体部２と、この本体部２の開口状の上面を塞ぐ蓋３とを備え、上記の本体部２の前側に、ロールペーパー１の芯の配置方向に沿ってローラ４が平行状に複数横架され、このローラ４が本体部２に設けられているモータ５で回転されてロールペーパー１の引き出し端１ａが送り出されるトイレットペーパーホルダーであって、上記のローラ４が、モータ５で回転する最上段のローラ４ａと、この最上段のローラ４ａの下側に配置されている中段のローラ４ｂと、この中段のローラ４ｂの下側に配置されている最下段のローラ４ｃとで構成され、このローラ４ａ、４ｂ、４ｃ同士に、ロールペーパー１を受けて送り出すためのベルト８が、最上段のローラ４ａと中段のローラ４ｂ、中段のローラ４ｂと最下段のローラ４ｃに架けられ、ローラ４と共に回転するこのベルト８によってロールペーパー１の引き出し端１ａが送り出されることを特徴とする（請求項１）。
【０００６】
ここで、ロールペーパー１を受けて送り出すためのベルト８、とは、ベルト８にロールペーパー１が載せられ、ベルト８とロールペーパー１との接触摩擦でロールペーパー１を運んで送り出す、ということを意味する。具体的には、ベルト８が、ローラ４の周面より凸段差状に突き出された状態でローラ４に架けられることにより実現される。本発明の場合、ベルト８の幅や本数は、任意である。ベルト８は、紙との接触摩擦力が大きくなるようゴム材等、摩擦抵抗が大きい材質で形成されているのが良い。
【０００７】
またこの場合、本発明は、ベルト８が、本体部２の正面から見て左右対称状に架けられているのが好ましい（請求項２）。
なぜならこれによると、紙を蛇行させることなく、バランス良く送り出すことができるからである。
【０００８】
また本発明は、最下段のローラ４ｃの下側に、紙が内方に巻き込まれるのを防止するための縦板９が、最下段のローラ４ｃの周方向に延びる環状溝１０に上端を係合させて設けられているのが好ましい（請求項３）。
なぜならこれによると、縦板９によって紙が内方に巻き込まれることを防止できるからである。
【発明の効果】
【０００９】
本発明は、このようにローラが平行状に複数横架され、このローラ同士に、ロールペーパーを受けて送り出すためのベルトが架けられ、ローラと共に回転するこのベルトによってロールペーパーの引き出し端が送り出されるものである。
従って本発明の場合は、紙の送り出し方向に沿って紙がベルトと長い範囲にわたって接触し、ベルトの移動によって紙を運んで送り出すことができる。
それ故これによれば、ローラとの摩擦で紙を送り出す従来品に比べ、ローラの下方に紙を撓ませたり、弛ませることなく、紙を確実に送り出すことができる。
また本発明は、ローラが、最上段のローラと、中段のローラと、最下段のローラとで構成され、ベルトが、最上段のローラと中段のローラ、中段のローラと最下段のローラに架けられている。
従って本発明によると、紙がベルトと、より長い範囲にわたって接触するため、ベルトと紙との摩擦抵抗がより大きくなり、紙を、一層、確実に送り出すことができる。
【発明を実施するための最良の形態】
【００１０】
以下、本発明を実施するための最良の形態を説明する。
本発明は、図１等に示されるように、ロールペーパー１が芯を横にして収納される本体部２と、この本体部２の開口状の上面を塞ぐ蓋３とを備えて形成されている。そして上記の本体部２の前側には、ロールペーパー１の芯の配置方向に沿ってローラ４が横架され、このローラ４が本体部２に設けられているモータ５で回転されてロールペーパー１の引き出し端１ａが送り出されるよう構成されている。
【００１１】
なお蓋３の前部の下端には、ロールペーパー１を切断するための、鋸歯状の刃３ａが形成されている。６（図３等参照）は、切断後のペーパー１を刃３ａから外すためのペーパー外し部である。このペーパー外し部６は、図示されるように、縦断面がほぼ円弧状に形成され、蓋３の下端近傍の位置に、蓋３の裏側に凸段差状に突き出されて形成されている。
【００１２】
上記のローラ４は、平行状に複数横架されている。本発明の場合、ローラ４は、具体的には、モータ５で回転する最上段のローラ４ａと、この最上段のローラ４ａの下側に配置されている中段のローラ４ｂと、この中段のローラ４ｂの下側に配置されている最下段のローラ４ｃとで構成されている。
【００１３】
図３等において、７ａ、７ｂは、蓋３の前部の内側に設けられている平行一対の案内ローラである。この実施形態の場合、最上段のローラ４ａは上側の案内ローラ７ａの周面に、また中段のローラ４ｂは下側の案内ローラ７ｂの周面に接するよう設けられている。従ってこの場合は、ロールペーパー１の引き出し端１ａが、各案内ローラ７ａ、７ｂとベルト８とで挟まれるため、紙はベルト８により密着、密接した状態で送られ、撓みや弛みの発生が一層抑えられるものである。
【００１４】
また最下段のローラ４ｃは、この実施形態では図３等に示されるように、ペーパー外し部６に対応する位置に、ロールペーパー１の引き出し端１ａを、ペーパー外し部６とベルト８とで挟み付けて送り出すことができるよう設けられている。
従ってこれによると、紙は中段のローラ４ｂと最下段のローラ４ｃとの間においても、撓みや弛みの発生がより確実に抑えられるものである。
【００１５】
而してロールペーパー１を受けるベルト８は、ローラ４と共に回転し、紙送りと共に、回転力を伝動する機能を有している。ベルト８は、図１に示されるように、ローラ４の周面より凸段差状に突き出され、最上段のローラ４ａと中段のローラ４ｂ、中段のローラ４ｂと最下段のローラ４ｃに、本体部２の正面から見て左右対称状に架けられている。ベルト８は、この実施形態の場合、具体的には、最上段のローラ４ａと中段のローラ４ｂに左右一対状、架けられている。また中段のローラ４ｂと最下段のローラ４ｃには、左右側に２本づつ、計４本架けられている。
【００１６】
また９（図１、図３等参照）は、紙が内方に巻き込まれるのを防止するための縦板である。この縦板９は、最下段のローラ４ｃの下側に、最下段のローラ４ｃの周方向に延びる環状溝１０に上端を係合させて設けられている。
【００１７】
上記のモータ５は、正逆回転可能なリバーシブルモータで構成され、図１に示されるように、本体部２の側部の内部スペースSに、回転軸を上向きにして設けられている。１１は、モータ５の駆動用スイッチである。また１２（図２参照）は、モータ５のペーパー送り出し長さを設定するためのスイッチである。このスイッチ１２を操作することにより、モータ５の回転する時間が設定され、モータ５の駆動時間に対応する長さだけペーパー１が送り出されるものである。
【００１８】
１３（図４参照）は、ロールペーパー１を支持する平行一対の支持棒である。この支持棒１３は、本体部２の下部にロールペーパー１の芯の配置方向に沿って、且つ支持棒１３同士の間隔がロールペーパー１の芯の直径より小さい状態で横架されている。この実施形態の本発明の場合、後側の支持棒１３は、リンク部材１４により蓋３の開き動作に連動してロールペーパー１の直径の範囲内で後退動作自在に形成されている。１５は、後側の支持棒１３の端部を案内するため、本体部２の各側板に夫々形成されているスリットである。後側の支持棒１３の各端部は、このスリット１５を介して、図１に示されるように、内部スペースＳに突き出され、リンク部材１４を介して蓋３の端部に連結されている。
【００１９】
１６は、ロールペーパー１の受け板である。この受け板１６は、ロールペーパー１の周面が当接するよう、側板に、前後一対状に横架されている。又この受け板１６は、ロールペーパー１の残量を本体部２の前方等から視認し易いよう、この実施形態では透明のアクリル板で形成されている。ロールペーパー１は、この受け板１６によって安定した姿勢で円滑に引き出すことが可能になる。
【００２０】
１７（図４等参照）は、倒伏時に平行一対の支持棒１３の間に配置される、芯なしロールペーパー１用の支持部材である。この支持部材１７は、本体部２の両側壁の内側下部に、起伏動作自在に、且つ起立時に本体部２の側壁内に没して収納されるよう設けられている。
１８（図４等参照）は、ロールペーパー１の側面を受けるための突条である。この突条１８は、本体部２の側壁の内面に、この実施形態では縦長に、平行状に３本形成されている。これにより、ロールペーパー１は、側壁の内面に面的に接触することが防止され、接触摩擦抵抗が減らされ、円滑に回転して引き出されるものである。
また１９（図２等参照）は、本体部２の下側に、本体部２に対して連結自在に設けられている紙受けである。更に２０（図１参照）は、ロールペーパー１の引き出し端１ａを検知する光センサである。
【００２１】
次に本発明のトイレットペーパーホルダーの作用を説明する。
先ず、使用者がモータ５の駆動用スイッチ１１を入れると、モータ５が、予め設定されている時間だけ回転する。モータ５が回転すると、最上段のローラ４ａが回転し、この回転力がベルト８で伝動され、中段のローラ４ｂが回転する。この中段のローラ４ｂは、最下段のローラ４ｃとベルト８で連結されているため、最上段のローラ４ａが回転すると、中段のローラ４ｂ、そして最下段のローラ４ｃがベルト８と共に同方向に回転する。
【００２２】
本発明の場合、ロールペーパー１は、ベルト８に接触し、ベルト８に受けられているから、ベルト８が回転すると、ベルト８との摩擦で紙が一定の長さ（１回分の長さ）だけ送り出される。特に、この実施形態の本発明は、引き出し端１ａが案内ローラ７ａ、７ｂとベルト８とで挟まれているから、よりベルト８に密接し、安定的に送り出される。そしてこの送り出されたペーパー１は、紙受け１９に折り返し状に畳まれて載る。そこで使用者は、この紙を蓋３の刃３ａを利用して手動で切断する。
【００２３】
而して本発明品の場合、使用者が、紙を蓋３の刃３ａで切断すると、光センサ２０がオンになり、モータ５が駆動して１回分の長さだけ紙が送り出される。また本発明の場合、ペーパー１が全て送り出されて芯だけになると、芯は支持棒１３で支持され、落下することなく本体部２内にそのまま残される。そして次にこの状態で蓋３を開くと、蓋３の端部の回転に連れてリンク部材１４が引き上げられ、このリンク部材１４を介して後側の支持棒１３がスリット１５に案内されながら、斜め後方に引き上げられて後退する。この結果支持棒１３同士の間隔が芯の直径より大きくなり、芯が落下し除去される。なお落下する芯は、本体部２の下側の紙受け１９で回収される。
【００２４】
而して使用者は、蓋３が全開している状態で、新しいロールペーパー１を本体部２に投入し、ロールペーパー１の引き出し端１ａを、ベルト８に被せて前方に少し引き出し、蓋３を閉める。これにより、蓋３の前部の案内ローラ７ａ、７ｂがベルト８の周面に押し当てられ、ロールペーパー１の引き出し端１ａが当圧され、送り出しが可能になる。
【図面の簡単な説明】
【００２５】
【図１】本発明のホルダーの好適な一実施形態を示す開蓋時の正面図である。
【図２】同上ホルダーの斜視図である。
【図３】図１のIII−III線における要部拡大断面図である。
【図４】同上ホルダーの要部斜視図である。
【図５】同上ホルダーの開蓋時の要部側面図である。
【符号の説明】
【００２６】
１      ロールペーパー
１ａ    引き出し端
２      本体部
３      蓋
４      ローラ
４ａ 最上段のローラ
４ｂ 中段のローラ
４ｃ 最下段のローラ
５      モータ
８      ベルト
【図１】
0004798525.tif 000002
【図２】
0004798525.tif 000003
【図３】
0004798525.tif 000004
【図４】
0004798525.tif 000005
【図５】
0004798525.tif 000006